(57)【特許請求の範囲】
【請求項１】
本体ケース内に配設される回転軸と、本体ケースの内面に設けられる隔壁と、回転軸に設けられ、該隔壁、本体ケース内面及び回転軸外面により形成される液体室内に充填される粘性液体を押圧するベーンとを有し、前記隔壁が、少なくとも、本体ケースの内面に固定されるケース側隔壁部と、回転軸外面と摺接する摺接面を有する摺接面側隔壁部とに分割され、摺接面側隔壁部がケース側隔壁部から独立して可動に設けられている回転ダンパであって、前記ケース側隔壁部と摺接面側隔壁部との各対向面のうち、一方に、軸方向に沿って所定幅の溝が設けられ、他方に、幅が該溝の幅より狭く該溝内に余裕を持って挿入される突起が設けられ、摺接面側隔壁部が該突起に対する溝の余裕幅分回動可能であり、前記摺接面側隔壁部の摺接面が回転軸の外面に沿って円弧状に形成されていることを特徴とする回転ダンパ。
【請求項２】
前記ケース側隔壁部と摺接面側隔壁部とのいずれかに、摺接面側隔壁部が一方向に回動するときに閉塞され、他方向に回動するときに開放される液体流路が形成されている請求項１に記載の回転ダンパ。
【請求項３】
前記回転軸に設けられるベーンが１つである請求項１又は２に記載の回転ダンパ。
【発明の詳細な説明】
【０００１】
【発明の属する技術分野】
本発明は回転ダンパに関する。
【０００２】
【従来の技術】
回転ダンパは、通常、回転軸の外面にベーンが突設されていると共に、本体ケース内には、先端面が回転軸の外面と摺接するように所定幅の隔壁が形成されている。回転軸が回転すると、本体ケース内に充填される粘性液体がベーンにより圧縮され、ベーンの先端面と本体ケースの内面との間に生じる僅かな隙間、あるいはベーンや隔壁に設けたオリフィスを通じて粘性液体がベーン及び隔壁を境として形成される一方の液体室から他方の液体室へ移動する。そして、そのときに発生する動圧抵抗や粘性抵抗によって回転軸の回転動作が遅動される。
【０００３】
【発明が解決しようとする課題】
しかしながら、回転軸が粘性液体による制動力を受ける方向に回転する場合、すなわち、ベーンが粘性液体を圧縮する方向に回転する場合、粘性液体の抵抗により、回転軸が押圧されて軸心から外れ、回転軸の外面と隔壁の先端面（摺接面）との間にギャップが生じ、そのギャップを通じても粘性液体が移動し、制動特性が安定しないという問題があった。特に、回転軸の動作角度が１８０度以上の場合には、回転軸に設けられるベーンが一つである場合が多く、かかる問題の発生することが比較的多かった。
【０００４】
本発明は上記に鑑みてなされたものであり、回転軸と隔壁との間に上記ギャップが生じることを防止し、制動特性を安定させることができる回転ダンパを提供することを目的とする。
【０００５】
【課題を解決するための手段】
上記目的を達成するため、本発明の回転ダンパは、本体ケース内に配設される回転軸と、本体ケースの内面に設けられる隔壁と、回転軸に設けられ、該隔壁、本体ケース内面及び回転軸外面により形成される液体室内に充填される粘性液体を押圧するベーンとを有し、前記隔壁が、少なくとも、本体ケースの内面に固定されるケース側隔壁部と、回転軸外面と摺接する摺接面を有する摺接面側隔壁部とに分割され、摺接面側隔壁部がケース側隔壁部から独立して可動に設けられている回転ダンパであって、前記ケース側隔壁部と摺接面側隔壁部との各対向面のうち、一方に、軸方向に沿って所定幅の溝が設けられ、他方に、幅が該溝の幅より狭く該溝内に余裕を持って挿入される突起が設けられ、摺接面側隔壁部が該突起に対する溝の余裕幅分回動可能であり、前記摺接面側隔壁部の摺接面が回転軸の外面に沿って円弧状に形成されていることを特徴とする。
【０００６】
前記ケース側隔壁部と摺接面側隔壁部とのいずれかに、摺接面側隔壁部が一方向に回動するときに閉塞され、他方向に回動するときに開放される液体流路を形成することができる。さらに、本発明は、回転軸に設けられるベーンが１つであるタイプに適用すると好適である。
【０００７】
【発明の実施の形態】
以下、本発明の実施の形態を図面に基づいて詳述する。図において、１は本実施の形態の回転ダンパであり、本体ケース２、回転軸３、隔壁４、ベーン５を有して構成される。
【０００８】
本体ケース２は、図１に示すように、有底略円筒状に形成されている。後述の回転軸３は、その一端部３ａを本体ケース２の一端２ａから突出させて収容され、ベーン５は、回転軸３と共にこの本体ケース２の内部に収容される。そして、これらの抜け止めのためキャップ２１が装着されている。なお、本体ケース２の底壁２ｂの内端面には、回転軸３の軸受け孔２ｃが形成されている。
【０００９】
また、本体ケース２の内面には隔壁４が設けられている。この隔壁４は、回転軸３に設けられるベーン５により、粘性液体を圧縮するために設けられ、円周方向に所定の幅で、かつ軸心方向に所定の長さをもって本体ケース２の内面に一体的に突設されている。半径方向の長さは、回転軸３の径によるが、先端面（摺接面）４２ｃが回転軸３の外面に摺接する程度に設定されている。本実施の形態では、さらに、かかる隔壁４が本体ケース２に一体的に固着されているケース側隔壁部４１と、摺接面４２ｃを含む摺接面側隔壁部４２とに軸心方向に沿って分割されている。
【００１０】
ケース側隔壁部４１における摺接面側隔壁部４２との対向面４１ａには、軸心方向に沿って所定の幅の溝４１ｂが形成されている。この溝４１ｂには、摺接面側隔壁部４２におけるケース側隔壁部４１との対向面４２ａに軸心方向に沿って突設された突起４２ｂが挿入される。溝４１ｂの円周方向に沿った幅は、突起４２ｂの円周方向に沿った幅よりも広く形成されており、突起４２ｂは溝４１ｂ内においてこの余裕幅分動くことが可能である。摺接面側隔壁部４２の摺接面４２ｃは回転軸３の外面に沿って円弧状に形成されており、回転軸３が回転し、粘性液体の抵抗を受けて回転軸３が軸心から外れようとする動きをした場合には、摺接面４２ｃが回転軸３の外面に摺接しているため、摺接面側隔壁部４２は、突起４２ｂの溝４１ｂにおける余裕幅分、回転軸３に追従して回動することになる。
【００１１】
また、本実施の形態では、摺接面側隔壁部４２に、該摺接面側隔壁部４２が回転軸３に追従して一方向に回動する場合に閉塞され、他方向に回動する場合に開放される液体流路４２ｄが形成されている。
【００１２】
具体的には、図３及び図４に示したように、突起４２ｂの一方の側部が凹凸状に形成され、そのうちの凹部に相当する部位が、ケース側隔壁部４１に形成された溝４１ｂとの対向部側から切り欠かれており、当該切り欠かれた部位が液体流路４２ｄを構成している。また、ケース側隔壁部４１の溝４１ｂを形成している２つの端壁４１ｃ，４１ｄは、その高さ（溝４１ｂ底面からの高さ）が突起４２ｂの高さよりも低く形成され、摺接面側隔壁部４２の対向面４２ａとの間に僅かな隙間を形成している。このことから、摺接面側隔壁部４２が一方向に回動する場合には、突起４２ｂの他方の側部が溝４１ｂの他方の端壁４１ｄに当接し、液体流路４２ｄが閉塞されるが、他方向に回動する場合には、凸部４２ｅが溝４１ｂの一方の端壁４１ｃに当接するため、液体流路４２ｄが閉塞されない。
【００１３】
回転軸３は、上記したように、一端部３ａが本体ケース２から突出されて配設され、本体ケース２内に形成された液体室２２内に、ベーン５が配設されている。本実施の形態では、このベーン５は、図２に示すように、第１のベーン５１と第２のベーン５２とから構成され、第１のベーン５１は、回転軸３の外面に、軸方向に沿ってかつ円周方向に所定間隔をおいて突設され、さらに、回転軸３の外面からの径方向の長さが本体ケース２の内面との隙間の距離よりも短い２つの突壁５１ａ，５１ｂから構成されている。第２のベーン５２は、円周方向に沿った幅が第１のベーン５１を構成する２つの突壁５１ａ，５１ｂ間の間隔よりも広く、第１のベーン５１を構成する各突壁５１ａ，５１ｂの端面と本体ケース２の内面との隙間の距離以下の厚みを有する円弧状部５２ａと、この円弧状部５２ａの内面側に軸方向に沿って形成された突状部５２ｂとを有して構成されている。そして、第２のベーン５２は、この突状部５２ｂが第１のベーン５１を構成する突壁５１ａ，５１ｂ間に挿入されて配設されている。
【００１４】
ここで、第２のベーン５２の突状部５２ｂにおける回転軸３の外面との対向面側には、上記した隔壁４の摺接面側隔壁部４２と同様、液体流路５２ｃが形成されていると共に、一方の側部は凹凸状に形成されており、回転軸３が一方向に回転し、突状部５２ｂが一方の突壁５１ｂに当接した場合には、液体流路５２ｃが閉塞され、回転軸３が他方向に回転し、突状部５２ｂが他方の突壁５１ａに当接した場合には液体流路５２ｃが開放される構成となっている。
【００１５】
なお、本発明は、上記したように、隔壁４を分割して摺接面側隔壁部４２を可動にしたことに特徴がある。従って、ベーン５の構成は回転軸３が制動力を発揮する方向に回転する場合に、粘性液体を圧縮することができれば全く限定されるものでないことはもちろんであり、回転軸３に突設され、径方向の長さが本体ケース２の内面に当接する程度である一体型の一枚のベーン等、種々のベーンを採用することができる。また、図示しないがオリフィスとしては、ベーン５と本体ケース２の内面との隙間を利用してもよいし、小径の孔をベーンに穿設するようにしてもよい。さらには、このオリフィスを開閉する弁機構（図示せず）を付加するようにしてもよい。また、ベーン５の設置数も限定されるものではなく、一枚であってもよいし、複数枚であってもよい。但し、本発明が、回転軸３の外面と隔壁４との間に隙間を生じ易いベーン５が一枚のタイプのものに好適であることは上記したとおりである。
【００１６】
次に、本実施の形態の作用を説明する。回転軸３が、図２中、矢印Ｘ方向に回転する場合、第２のベーン５２の突状部５２ｂは、第１のベーン５１の突壁５１ｂに当接し、一方の液体室２２ａ内の粘性液体を押圧していく。粘性液体は、オリフィスとして機能する第２のベーン５２の外面と本体ケース２の内面とのわずかな隙間を通じてベーン５を境として形成される反対側の液体室２２ｂに流入し、そのときに生じる動圧抵抗により回転軸３の回転をスローダウンさせる。しかしながら、オリフィスを通じて一方の液体室２２ａから反対側の液体室２２ｂに流出する粘性液体の流出速度が遅いため、一方の液体室２２ａ内は高圧になる。このため、回転軸３の軸心が反対側の液体室２２ｂ側にずれようとする。このとき、本実施の形態によれば、隔壁４を構成する摺接面側隔壁部４２が回転軸３に追従するように、ケース側隔壁部４１の溝４１ｂの余裕幅の範囲内で突起４２ｂが回動する。従って、摺接面側隔壁部４２は、その摺接面４２ｃが回転軸３の外面に摺接した状態で維持されるため、回転軸３の軸心がずれても、隔壁４を構成する摺接面側隔壁部４２と回転軸３との間に隙間が生じない。
【００１７】
一方、回転軸３が、図２中、矢印Ｙ方向に回転する場合、ベーン５を構成する第２のベーン５２の突状部５２ｂは、第１のベーン５１の突壁５１ａに当接し、粘性液体が液体流路５２ｃを通じて反対側の液体室２２ｂから一方の液体室２２ａへ流入する。また、回転軸３の回転に伴って摺接面側隔壁部４２も矢印Ｙ方向へ僅かに回動し、一方の側部の凸部４２ｅが一方の端壁４１ｃに当接し、摺接面側隔壁部４２に形成された液体流路４２ｄも閉塞されない。従って、粘性液体は、この液体流路４２ｄを通じても反対側の液体室２２ｂから一方の液体室２２ａへ移動するため、回転軸３は大きな抵抗を受けることなくスムーズに回転する。
【００１８】
【発明の効果】
本発明の回転ダンパによれば、隔壁を構成する、回転軸外面と摺接する摺接面を含む摺接面側隔壁部が独立して可動に設けられているため、回転軸と隔壁との間にギャップが生じることを防止し、制動特性を安定させることができる。特に、本発明を、回転軸と隔壁との間にギャップが生じやすいベーンが一つのタイプのものに適用すると効果的である。
【図面の簡単な説明】
【図１】図１は、本発明の回転ダンパの一の実施の形態を示す縦断面図である。
【図２】図２は、図１のＡ−Ａ線断面図である。
【図３】図３は、上記実施の形態で用いた摺接面側隔壁部の他方の側部方向からみた斜視図である。
【図４】図４は、上記実施の形態で用いた摺接面側隔壁部の一方の側部方向からみた斜視図である。
【符号の説明】
１  回転ダンパ
２  本体ケース
３  回転軸
４  隔壁
４１  ケース側隔壁部
４２  摺接面側隔壁部
５  ベーン
５１  第１のベーン
５２  第２のベーン
【図１】
0003981172.tif 000002
【図２】
0003981172.tif 000003
【図３】
0003981172.tif 000004
【図４】
0003981172.tif 000005